(57)【要約】【課題】躯体間隙の間仕切り構造を、躯体同士が何れの方向へ相対変位しても、欠損部を生ずることなく、カバー材で間隙を確実に塞いで歩行の安全を確保することができように構成する。【解決手段】躯体Ａの間隙Ｇに面した外壁面に間隙Ｙ方向に沿ってレール部材４を取り付け、このレール部材４内を滑動するスライド部材５で、躯体Ａ，Ｂ間に架設した側端部に壁面材２が載った床面カバー材１の端部と、躯体Ａの外壁面Ａ２に沿って平行に配置されていて壁面材２の先端部に連結された裏面材３の下端部を支持し、躯体Ａ，Ｂ間の相対変位に対して前記各カバー材が一体にスライド移動するように構成する。【選択図】図１
2015155600.tif 000002
【特許請求の範囲】
【請求項１】
間隙Ｇを隔てて相対した躯体Ａの開口部と躯体Ｂの開口部間に床面カバー材と壁面材を架け渡して両躯体Ａ，Ｂを接合する躯体間隙の間仕切り構造において、
躯体Ａの間隙Ｇに面した外壁面に間隙奥行き方向に沿ってレール部材が取り付けられているとともに、このレール部材内に当該レール部材に沿って滑動する一つ又は複数のスライド部材が取り付けられ、
床面カバー材が、その一側の端部が躯体Ｂの開口部床面上に載せられ且つ他側の端部がその下面に前記スライド部材が固定されて両躯体間に支持されているとともに、この床面カバー材の上面の少なくとも一側の端部に壁面材が載せられて支持され、
前記壁面材が載せられた床面カバー材の側端部に隣接させて裏面材が躯体Ａの外壁面に沿って平行に配置され、且つ裏面材の下端部にスライド部材が取り付けられているとともに、この裏面材の側端部と前記壁面材の躯体Ａ側の先端部がＬ字形に屈曲した連結板で連結された構成を有することを特徴とする躯体間隙の間仕切り構造。
【請求項２】
床面カバー材と壁面材は、躯体Ａ，Ｂの間隙Ｇの幅方向の変動を吸収するために設定された設定可動量の略二倍の長さに設けられたことを特徴とする請求項１に記載の躯体間隙の間仕切り構造。
【請求項３】
床面カバー材が間隙奥行き方向に伸びた第１の床面カバー部材と第１の床面カバー部材の側部に並置されていて壁面材が載った第２の床面カバー部材とに分割して形成され、レール部材を滑動する複数のスライド部材のうち、第１のスライド部材が第１の床面カバー部材の端部に固定され、第２のスライド部材が第２の床面カバー部材の端部に固定された構成を有することを特徴とする請求項１又は２に記載の躯体間隙の間仕切り構造。
【請求項４】
スライド部材がレール部材内でその滑動方向を軸として回転可能に取り付けられた構成を有することを特徴とする請求項１〜３の何れかに記載の躯体間隙の間仕切り構造。
【請求項５】
壁面材と裏面材を連結する連結板は壁面材の端部が接合する側の面内に縦又は横に伸びた長孔を有し、壁面材の外面には連結板の前記長孔と交差するように横又は縦に伸びた長孔を形成され、交差して重ねられた連結板の長孔と壁面材の長孔とに固定ボルトを通して、連結板を介して裏面材を壁面材に取り付けた構成を有することを特徴とする請求項１〜４の何れかに記載の躯体間隙の間仕切り構造。
【請求項６】
壁面材の上部に天井カバー材が躯体Ａ，Ｂ間に架設して配置された構成を有することを特徴とする請求項１〜５の何れかに記載の躯体間隙の間仕切り構造。
【請求項７】
間隙Ｇを隔てた躯体Ａ，Ｂ間に架け渡される、間隙奥行き方向に伸びた第１の仕切り部材と第１の仕切り部材の側部に並置された第２の仕切り部材と第２の仕切り部材の上面に直交配置された間隙高さ方向に伸びた第３の仕切り部材とを支持するための機構であって、
躯体Ａの間隙Ｇに面した外壁面に間隙奥行き方向に沿って取り付けられるレール部材と、
レール部材内に取り付けられて当該レール部材に沿って滑動する部材であって一側の端部を躯体Ｂに載せた第１の仕切り部材の他側の端部に固定される第１のスライド部材と、
レール部材内に取り付けられて当該レール部材に沿って滑動する部材であって一側の端部を躯体Ｂに載せた第２の仕切り部材の他側の端部に固定される第２のスライド部材と、
を有して構成されたことを特徴とする仕切り部材の支持機構。
【請求項８】
第１のスライド部材と第２のスライド部材は、レール部材内でその滑動方向を軸として回転自在に取り付けられた構成を有することを特徴とする請求項７に記載の仕切り部材の支持機構。
【請求項９】
第１のスライド部材と第２のスライド部材が一体に設けられた構成を有する請求項７又は８に記載の仕切り部材に記載の仕切り部材の支持機構。
【発明の詳細な説明】
【技術分野】
【０００１】
本発明は、間隙を隔てて隣接した躯体の開口部間に床パネルと壁パネルを架設して両躯体の床面及び壁面を接合する間仕切り構造と、これに用いられる空間を仕切る仕切り部材の支持機構に関する。
【背景技術】
【０００２】
建造物の中に設けられた間隙を挟んで隣接した躯体同士を接合するエキスパンションジョイントとして、例えば図１４に示されるように、躯体Ａと躯体Ｂの間隙Ｇに床面カバー材１００をスライド移動自在に設置し、躯体間隙幅方向（以下、間隙Ｘ方向という）の変動を床面カバー材１００が躯体Ｂの床面１０１に沿って前後にスライド移動することにより吸収し、躯体間隙奥行き方向（以下、間隙Ｙ方向という）の変動を躯体Ｂとともに床面カバー材１００が躯体Ａの外壁１０２に沿って横にスライド移動することにより吸収し、間隙Ｙ方向への躯体の変動量が大きく、躯体Ａの外壁１０２と床面カバー材１００の間に欠損部Ｓが生じる場合に、床面カバー材１００の側方に欠損カバー材１０３を張り出して欠損部Ｓを塞ぐようにした構成のものが知られている（例えば特許文献１，２参照）。
【０００３】
また、図１５に示されるように、間隙Ｇに面した躯体Ａの外面に設置されたガイドレール１０４に、床面カバー材１００の固定側端部と袖パネル１０５を一体にスライド移動可能に取り付け、床面カバー材１００の側部外側に、一側が袖パネル１０５の先端部に固定されていて躯体Ａ，Ｂ間のＹ方向への変位に連動して伸縮可能に設けられた伸縮カバー体１０６を取り付け、前記床面カバー材１００，袖パネル１０５及び伸縮カバー体１０６の端部をスライドレール１０４上で一体に連結しておくことにより、床面カバー材１００の側方に欠損部が生じないようにした構成のものが知られている（例えば特許文献３参照）。
【先行技術文献】
【特許文献】
【０００４】
【特許文献１】特開２００４−１５６３０５号公報
【特許文献２】特開２００８−２４０５１０号公報
【特許文献３】特開２０１０−２４２３１１号公報
【発明の概要】
【発明が解決しようとする課題】
【０００５】
前記図１４に示された構成のものは、躯体Ａ，Ｂ間が大きく変位したときに生じる欠損部Ｓを欠損カバー材１０３で塞ぐことが可能であるが、エキスパンションジョイント全体の設計が煩雑になり、また、欠損部Ｓを欠損カバー材１０３で塞いだ状態で、欠損カバー材１０３と床面カバー材１００との間に段差ができてしまう。
欠損部Ｓが生じるような規模の大きな災害発生時には停電により十分な屋内照明が確保できない事態が発生すると考えられ、そのような状況下では、歩行者が前記段差部に躓き、転んで怪我をするなどの二次的災害を引き起こす虞が大きく、歩行の安全性を確保することができない。
【０００６】
前記図１５に示された構成のものは、床面カバー材１００がＸ方向へスライド移動するのに伴って伸縮カバー体１０６が同方向に沿って伸長又は萎縮し、また、スライドレール１０４に沿って床面カバー材１００，袖パネル１０５及び伸縮カバー体１０６がＹ方向に一体に変位するように設けてあるので、床面カバー材１００の周囲に欠損部Ｓが生じることはない。
しかし、伸縮カバー体１０６は、例えば図１６に示されるように、複数のカバー材１０６ａ，１０６ａをパンタ構造の複数のリンク機構１０６ｂ，１０６ｂで連結し、或いは平行に配置された複数のレール部材１０６ｃ、１０６ｃで連結して構成され、リンク機構１０６ｂやレール部材１０６ｂの取り付けピッチや、各カバー材１０６ａ間で水平方向又は出入り方向の取り付け位置に少しでもバラツキがあると可動に支障を来たすことから高い施工精度が要求され、組み立てに手間を要する。伸縮カバー体１０６を取り付ける作業に手間を要し、調整工程も多いことにより、エキスパンションジョイント全体の施工コストが高くならざるを得ない。
また、図示した構成のものは、躯体Ａ，Ｂが躯体間隙高さ方向（以下、間隙Ｚ方向という）に沿って相対変位した場合、これを効果的に吸収することができない。躯体Ａ，Ｂが間隙Ｚ方向に相対変位した場合、袖パネル１０５と伸縮カバー体１０６の連結部分や、床面カバー材１００、袖パネル１０５及び伸縮カバー体１０６の端部同士の接続部分に応力が集中して破損をきたす虞がある。
【０００７】
本発明は従来技術の有するこのような問題点に鑑み、間隙を隔てて相対した躯体間に床面カバー材と壁面材を架け渡して両躯体を接合する間仕切り構造において、低廉な施工コストで設置可能であり、地震により躯体同士が何れの方向へ相対変位しても、欠損部を生ずることなく、前記両カバー材で間隙を確実に塞いで歩行の安全を確保することができるように構成すること、及びこの間仕切り構造の設置に用いることのできる仕切り部材の支持機構を構成することを課題とする。
【課題を解決するための手段】
【０００８】
前記課題を解決するため本発明は、間隙Ｇを隔てて相対した躯体Ａの開口部と躯体Ｂの開口部間に床面カバー材と壁面材を架け渡して両躯体Ａ，Ｂを接合する躯体間隙の間仕切り構造において、
躯体Ａの間隙Ｇに面した外壁面に間隙Ｙ方向に沿ってレール部材が取り付けられているとともに、このレール部材内に当該レール部材に沿って滑動する一つ又は複数のスライド部材が取り付けられ、
床面カバー材が、その一側の端部が躯体Ｂの開口部床面上に載せられ且つ他側の端部がその下面に前記スライド部材が固定されて両躯体間に支持されているとともに、この床面カバー材の上面の少なくとも一側の端部に壁面材が載せられて支持され、
前記壁面材が載せられた床面カバー材の側端部に隣接させて裏面材が躯体Ａの外壁面に沿って平行に配置され、且つ裏面材の下端部にスライド部材が取り付けられているとともに、この裏面材の側端部と前記壁面材の躯体Ａ側の先端部がＬ字形に屈曲した連結板で連結された構成を有することを特徴とする。
【０００９】
これによれば、地震により両躯体Ａ，Ｂが相対変位し、間隙Ｇの伸縮やずれが生じた場合、躯体Ａ，Ｂの間隙Ｘ方向の変位は床面カバー材が躯体Ｂの開口部床面上を同方向にスライド移動して吸収し、間隙Ｙ方向の変位は床面カバー材、壁面材及び裏面材が躯体Ａの外壁面に取り付けられたレール部材上をスライド移動して吸収する。
また、壁面材は床面カバー材の側端部上面に載せて取り付けられ、両躯体Ａ，Ｂ間を床面カバー材と一体に間隙Ｘ，Ｙ両方向にスライド移動するので、壁面材により床面カバー材の側方は常時閉鎖されて欠損部位が発生することはなく、また、裏面材はその端部を壁面材の躯体Ａ側の端部に連結して壁面材と一体に躯体Ａの外壁面に沿ってスライド移動するので、躯体Ａの開口部に面していた床カバー材及び壁面材が間隙Ｙ方向にスライド移動して前記開口部からずれると、そのずれた位置に裏面材が進出して開口部を閉鎖するので、壁面材の外側にも欠損部位が発生することはなく、歩行者が床や壁の欠損部位や段差部位に足を踏み入れたり躓いたりする危険はなく、地震発生時における歩行の安全性が確保される。
前記構成の間仕切り構造は、躯体Ａの外壁面に取り付けたレール部材上で床面カバー材、壁面材及び裏面材を支持した簡易且つコンパクトな構成であり、また、実質的な可動部材はレール部材内を滑動するスライド部材のみであるので、高い施工精度は要求されず、低廉な施工コストで設置することが可能である。
【００１０】
前記構成の間仕切り構造において、床面カバー材と壁面材は、躯体Ａ，Ｂの間隙Ｇの間隙Ｘ方向の変動を吸収するために設定された設定可動量の略二倍の長さに設けられていることが好ましい。
【００１１】
前記構成の間仕切り構造において、例えば両躯体Ａ，Ｂの開口部床面がその表面にタイルを埋め込むなどした化粧床面であり、これに対応させて床面カバー材を厚みのある化粧床面とした場合、両躯体Ａ，Ｂが間隙Ｘ方向に沿って間隙Ｇを縮小するように相対変位し、躯体Ｂの開口部床面上に床面カバー材が乗り上げたときに、床面カバー材が厚いために床面カバー材の傾きが大きくなり、これに伴い床面カバー材上の壁面材が大きく傾くと、両躯体Ａ，Ｂの開口部分に衝突するなどして可動に支障を来たすこととなる。
このような場合に、床面カバー材とスライド部材を複数に分割した構造とすること、すなわち、前記構成の間仕切り構造において、床面カバー材を間隙Ｙ方向に伸びた第１の床面カバー部材と、第１の床面カバー部材の側部に並置されていて壁面材が載った第２の床面カバー部材とに分割して形成し、レール部材を滑動する複数のスライド部材のうち、第１のスライド部材を第１の床面カバー部材の端部に固定し、第２のスライド部材を第２の床面カバー部材の端部に固定して構成することが好ましい。
これによれば、床面カバー材は、壁面材が載った部分（第２の床面カバー部材）とその他の部分（第１の床面カバー部材）とに分割しており、それぞれの端部にレール部材内を一体に滑動しつつ独立して回転変位する第１，第２のスライド部材を固定してあるので、前記の如く、間隙Ｇを縮小する方向に両躯体Ａ，Ｂが相対変位して躯体Ｂの開口部床面上に床面カバー材の第１の床面カバー部材が乗り上げて大きく傾いても、壁面材が載った第２の床面カバー部材は単に躯体Ｂの開口部床面上をスライドするだけで傾くようなことはなく、壁面パネルで両躯体Ａ，Ｂの開口部壁面を接合した状態が維持される。
【００１２】
前記構成の間仕切り構造において、両躯体Ａ，Ｂの間隙Ｚ方向に沿った相対変位を吸収するため、スライド部材がレール部材内でその滑動方向を軸として回転可能に取り付けられた構成とすることが好ましい。
これによれば、両躯体Ａ，Ｂが間隙Ｚ方向に沿って相対変位して、床面カバー材を介して水平に連なっていた両躯体Ａ，Ｂの開口部床面に上下に互い違となる段差が生じた場合に、床面カバー材がその躯体Ａ側の端部に固定されたスライド部材を支点として回転することで、躯体Ｂの開口部床面が躯体Ａの開口部床面に対して上昇又は下降する変位に追随して床面カバー材が傾斜し、床面カバー材の他側の端部が躯体Ｂの開口部床面上に載って接続した状態が保持される。両躯体Ａ，Ｂの間隙Ｚ方向に相対変位しても、躯体Ｂの開口部床面と床面カバー材との間に欠損部位が生ずることはなく、床面カバー材を介して両躯体Ａ，Ｂの開口部床面を接合した状態を維持して歩行の安全が確保される。
【００１３】
前記構成の間仕切り構造において、壁面材と裏面材を連結する連結板は壁面材の端部が接合する側の面内に縦又は横に伸びた長孔を有し、壁面材の外面には連結板の前記長孔と交差するように横又は縦に伸びた長孔を形成され、交差して重ねられた連結板の長孔と壁面材の長孔とに固定ボルトを通して、連結板を介して裏面材を壁面材に取り付けた構成を有することが好ましい。
これによれば、両躯体Ａ，Ｂが間隙Ｚ方向に沿って相対変位することによりスライド部材が回転して両躯体Ａ，Ｂ間に架け渡された床面カバー材が傾斜し、床面カバー材の上面に取り付けられた壁面材が床面カバー材とともに傾斜したときに、連結板で連結された躯体Ａの外壁面に沿って配置された裏面材に対して、壁面材の連結板との接続位置が前記連結板と壁面材外面とに形成された長孔に沿ってずれることで、壁面材を裏面材との連結部を破損させることなく連結状態を保持したまま、床面カバー材とともに回転変位させることができる。
【００１４】
また、前記構成の間仕切り構造は、壁面材の上部に天井カバー材が躯体Ａ，Ｂ間に架設して配置された構成としてもよい。
この場合、天井カバー材は、前記床面カバー材及び壁面材と同様に、両躯体Ａ，Ｂの相対変位を間隙Ｘ，Ｙ両方向にスライドして吸収し、また、間隙Ｚ方向の変位に対して躯体Ａ側で支持された端部を軸に回転可能に設けることが好ましい。
【００１５】
また、本発明の仕切り部材の支持機構は、間隙Ｇを隔てた躯体Ａ，Ｂ間に架け渡される、間隙Ｙ方向に伸びた第１の仕切り部材と第１の仕切り部材の側部に並置された第２の仕切り部材と第２の仕切り部材の上面に直交配置された間隙高さ方向に伸びた第３の仕切り部材とを支持するための機構であって、
躯体Ａの間隙Ｇに面した外壁面に間隙Ｙ方向に沿って取り付けられるレール部材と、レール部材内に取り付けられて当該レール部材に沿って滑動する部材であって一側の端部を躯体Ｂに載せた第１の仕切り部材の他側の端部に固定される第１のスライド部材と、レール部材内に取り付けられて当該レール部材に沿って滑動する部材であって一側の端部を躯体Ｂに載せた第２の仕切り部材の他側の端部に固定される第２のスライド部材と、を有して構成されることを特徴とする。
前記第１のスライド部材と第２のスライド部材は、レール部材内でその滑動方向を軸として回転自在に取り付けることができる。また、第１のスライド部材と第２のスライド部材は一体に設けられていてもよい。
【００１６】
前記構成の間仕切り構造に適用される場合、第１の仕切り部材は第１の床面カバー部材、第２の仕切り部材は第２の床面カバー部材、第３の仕切り部材は壁面材に各々相当し、前記構成の支持機構を用いることにより、両躯体Ａ，Ｂが何れの方向へ相対変位しても欠損部を生ずることのない間仕切り構造を、低廉な施工コストで間隙Ｇに設置することができる。
なお、仕切り部材の支持機構は、前記構成の間仕切り構造以外の、躯体Ａ，Ｂ間の空間を仕切る適宜な構造物に適用することが可能である。
【図面の簡単な説明】
【００１７】
【図１】本発明の第１実施形態の間仕切り構造の概略構成を示した要部断面図である。
【図２】本発明の第２実施形態の間仕切り構造の概略構成を示した要部断面図である。
【図３】本発明の第３実施形態の間仕切り構造の床面部分の要部平面図である。
【図４】第３実施形態の間仕切り構造の要部側面図である。
【図５】レール部材で支持された床面カバー材の端部の拡大図である。
【図６】レール部材とスライド部材の構成を示した要部拡大図である。
【図７】スライド部材がレール部材内で回転した状態の床面カバー材の端部の拡大図である。
【図８】壁面材と裏面材の連結部の拡大平面図である。
【図９】（Ａ），（Ｂ）は壁面材と裏面材を連結する連結板の要部拡大外観図である。
【図１０】天井カバー材の要部側面図である。
【図１１】図１０中のＸＩ−ＸＩ線に沿った要部拡大断面図である。
【図１２】（Ａ）〜（Ｃ）は第１〜第３実施形態の間仕切り構造における躯体の間隙Ｘ方向の相対変位が生じた際の動作を説明するための図である。
【図１３】（Ａ），（Ｂ）は第１〜第３実施形態の間仕切り構造における躯体の間隙Ｙ方向の相対変位が生じた際の動作を説明するための図である。
【図１４】欠損カバー材を備えた従来のエキスパンションジョイントの一例の平面図である。
【図１５】従来のエキスパンションジョイントの他の例の平面図である。
【図１６】（Ａ），（Ｂ）は図１５のエキスパンションジョイントを構成する伸縮カバー体の構成を示した図である。
【発明を実施するための形態】
【００１８】
本発明の好適な実施形態を図面に基づいて説明する。
図１は本発明の第１実施形態の間仕切り構造を示しており、これは、建造物の中に設けられた間隙Ｇを隔てて同じ高さに相対する躯体Ａの開口部Ａ１と躯体Ｂの開口部Ｂ１間に、床面カバー材１と壁面材２を架け渡すとともに、間隙Ｇに面する躯体Ａの外壁面Ａ２に沿って裏面材３を配置し、これらカバー材で間隙Ｇ内の空間を欠損部位が生じないように仕切って、両躯体Ａ，Ｂを接合したものである。
【００１９】
詳しくは、躯体Ａの間隙Ｇに面した外壁面Ａ２に、開口部Ａ１の下側で間隙Ｙ方向に沿って伸びた適宜な長さのレール部材４を水平に取り付け、このレール部材４に沿って滑動するスライド部材５に床面カバー材１の躯体Ａ側の端部下面を固定するとともに、床面カバー材１の躯体Ｂ側の端部を躯体Ｂの開口部Ｂ１の床面に載せてある。また、壁面材２は、床面カバー材１の側端部上面に載せて、床面カバー材１に一体に取り付けてあり、裏面材３はその下端部が前記スライド部材５に固定され、側端部を壁面材２の先端部に一体に連結してある。なお、床面カバー材１と壁面材２は、その間隙Ｘ方向に沿った長さＷが間隙Ｇの両躯体Ａ，Ｂ間の幅Ｗｇに対して略２倍となる寸法に設けてある。レール部材４とスライド部材５の構成は後述の第３実施形態において説明する。
【００２０】
そして、図示した間仕切り構造は、両躯体Ａ，Ｂが相対変位し、間隙Ｇの伸縮やずれが生じた場合に、躯体Ａ，Ｂの間隙Ｘ方向の変位は床面カバー材１が躯体Ｂの開口部Ｂ１床面上を同方向にスライド移動して吸収し、間隙Ｙ方向の変位は床面カバー材１、壁面材２及び裏面材３がレール部材４上をスライド移動して吸収し、これらカバー材が間隙Ｘ，Ｙ方向へ一体にスライドすることで、両躯体Ａ，Ｂの開口部Ａ１，Ｂ１内に間隙Ｇに通ずる欠損部位が発生しないように構成してある。
【００２１】
図２は本発明の第２実施形態の間仕切り構造を示しており、これは、表面を化粧床面とした厚みのある床面カバー材１を用い、躯体Ｂ側でその開口部Ｂ１床面に設けられた凹所Ｂ１１に床面カバー１が没入するように設けるとともに、床面カバー材１を前記凹所Ｂ１１に没入する部位であり間隙Ｙ方向に伸びた第１の床面カバー部材１ａと、第１の床面カバー部材１ａの側部に並置されていて壁面材２が載った第２の床面カバー部材１ｂとに分割して形成し、さらにレール部材４内を滑動するスライド部材５を第１のスライド部材５ａと第２のスライド部材５ｂに分割して形成し、第１のスライド部材５ａに第１の床面カバー部材１ａを取り付け、第２のスライド部材５ｂに第２の床面カバー部材１ｂと裏面材３とを固定して、間隙Ｇを縮小する方向に両躯体Ａ，Ｂが相対変位したときに、躯体Ｂの開口部Ｂ１床面上に床面カバー材１の第１の床面カバー部材１ａが乗り上げるとともに、第１の床面カバー部材１ａの側方で第２の床面カバー部材１ｂが開口部Ｂ１床面上をスライドして、同方向の変位が吸収されるように構成したものである。
【００２２】
図３〜図１１は本発明の第３実施形態の間仕切り構造を示しており、これは前記第２実施形態の間仕切り構造に天井カバー材６を躯体Ａ，Ｂ間に架設して構成したものである。
【００２３】
詳しくは、前記形態と同様に、床面カバー材１は第１の床面カバー部材１ａと、壁面材２が取り付けられた帯状の第２の床面カバー部材１ｂからなり、それぞれ躯体Ａ側の端部下面に第１のスライド部材５ａと第２のスライド部材５ｂを固定して当該側の端部がレール部材４に沿ってスライド自在支持され、躯体Ｂ側の端部が躯体Ｂの開口部Ｂ１床面に載せて取り付けてある。床面カバー材１と壁面材２が、間隙Ｇの両躯体Ａ，Ｂ間の幅Ｗｇに対して略２倍の長さ寸法Ｗに設けてあることも前記形態と同様である。
【００２４】
床面カバー材１と裏面材３を躯体Ａの外壁面Ａ２に沿ってスライド自在に支持するレール部材４は、図５及び図６に示されるように、スライド部材５が係入するスライド支持部材４１と、スライド支持部材４１を上面で支持するレール受け部材４２により形成してある。
【００２５】
スライド支持部材４１は、その上面をスライド部材５が没入する大きさで断面略逆台形状に凹陥させてあり、その両側上部にスライド部材５をスライド嵌合可能とする断面略半月状の凹陥溝部４１ａ，４１ａをそれぞれ設けるとともに、凹陥溝部４１ａ，４１ａの上部に内方に向けて突設した嵌合片４１ｂ，４１ｂを設けて形成してある。嵌合片４１ｂ，４１ｂは、一方の嵌合片４１ｂが、他方の嵌合片４１ｂよりも上方に食い違い状に位置するよう形成してある。また、レール受け部材４２は、断面略矩形状で、その上面にスライド支持部材４１が嵌る略逆台形状に凹陥させた受け部４２ａを形成し、受け部４２ａの両内壁面４２ｂを下方へ傾斜させつ窄ませ、その傾斜面に長手方向に伸びたに小突起を複数列設して形成してある。
また、スライド部材５は、平面状の固定面５ａの下側に首部５ｂを突出させ、首部５ｂの下側に断面略半月状の膨頭部５ｃを一体に設けて形成してある。
【００２６】
図５に示されるように、レール部材４は、レール受け部材４２内にスライド支持部材４１を差し入れ状態で、躯体Ａの外壁面Ａ２に取り付けられたアングル板７に固定ボルト８で固定され、固定されたスライド支持部材４１内に、床面カバー材１の端部下面に固定されたスライド部材５の膨頭部５ｃを係入して、床面カバー材１の端部をレール部材４に沿ってスライド自在に支持させてある。
また、スライド部材５はその膨頭部５ｃがスライド支持部材４１の嵌合片４１ｂ，４１ｂに係合する範囲で、当該スライド部材５がレール部材４内を滑動する軸方向周りに回転可能に設けられており、これにより、両躯体Ａ，Ｂが間隙Ｚ方向へ相対変位して開口部Ａ１，Ｂ１の高さが段違いになったときに、図７に示されるように、両躯体Ａ，Ｂ間に架け渡された床面カバー材１がスライド部材５を軸に傾斜して、床面カバー材で前記開口部Ａ１，Ｂ１の床面を接合した状態を維持し、同方向の変位を吸収するように設けてある。
【００２７】
裏面材３は、図８に示されるように、壁面材２が載せられた床面カバー材１の側端部に隣接させて躯体Ａの外壁面Ａ２に沿って平行に配置され、その先端部を断面Ｌ字形の連結板９により壁面材２の端部に連結し、その下端部を前記第２のスライド部材５ｂに固定して、床面カバー材１と壁面材２とともにレール部材４に沿ってスライド移動し得るように取り付けてある。
【００２８】
壁面材２と裏面材３を連結する連結板９の壁面材２の端部が接合する側の面内には、図９に示されるように、縦に伸びた長孔９ａ（同図（Ａ））、又は横に伸びた長孔９ａ（同図（Ｂ））が形成されており、また、壁面材２の外面には、連結板９の前記長孔９ａと交差するように横に伸びた長孔２ａ（同図（Ａ））、又は縦に伸びた長孔２ａ（同図（Ｂ））を形成してある。
そして、連結板９の他側の面を裏面材３に固定し、長孔９ａが形成された側の面を壁面材２の外面に重ねて長孔９ａと長孔２ａとを交差させ、両長孔９ａ，２ａに固定ボルト８を通して壁面材２と裏面材３を連結することにより、両躯体Ａ，Ｂの間隙Ｚ方向への相対変位に伴って壁面材２が床面カバー材１とともに傾斜したときに、壁面材２の連結板９との接続位置が長孔９ａに沿って縦又は横にずれることで裏面材３との連結部が破損することを防ぎ、鉛直方向に沿って傾斜した壁面材２と水平方向に直交した向きで接続して裏面材３との連結状態を保持するように設けてある。
【００２９】
天井カバー材６は、その長さが床面カバー材１及び壁面材２と略同じ間隙Ｇの幅Ｗｇに対して略２倍となる寸法Ｗに設けられており、躯体Ｂ側に設けられた吊架機構６ａに上面を支持されて、両躯体Ａ，Ｂ間に取り付けてある。
詳しくは、天井カバー材６は、吊架機構６ａにより天井カバー材６の間隙Ｘ方向に沿った変位可能及び間隙Ｚ方向に沿った傾斜可能に支持されて、天井カバー材６を壁面材２の上部で吊った状態に保持されているとともに、その躯体Ａ側の端部が、躯体Ａの外壁面Ａ２に取り付けられた間隙Ｙ方向に伸びた上部レール部材１０を介して、当該上部レール部材１０に沿ってスライド自在、且つスライド方向軸として回転自在に取り付けてある。
また、図１１に示されるように、天井カバー６の側端部下面には下向きに開口したチャンネル材６ｂが取り付けられており、このチャンネル材６ｂ内に壁面材２の上部を挿入して壁面材２が倒れることを防止するように設けてある。なお、壁面材２の間隙Ｚ方向への傾斜が許容されるように、チャンネル材６ｂの内側上面と壁面材２の上面間には適宜な間隔の隙間Ｄを設けてある。
【００３０】
このように構成された本形態の間仕切り構造によれば、図１２（Ａ）に示された各カバー材の当初の取り付け位置から、間隙Ｇの両側で躯体Ａ，Ｂが間隙Ｘ方向に沿って、間隙Ｇが拡がる方向（同図（Ｂ））又は狭める方向（同図（Ｃ））に相対変位した場合、床面カバー材１と躯体Ｂの開口部Ｂ１床面上を同方向にスライド移動し、同じく壁面材２及び天井カバー材６がスライド移動して、同方向の変位を吸収することができる。両躯体Ａ，Ｂ間で床面カバー材１と一体に壁面材２及び天井カバー材６がスライド移動するので、壁面材２により床面カバー材１の側方が、天井カバー材６により床面カバー材１の上方が常時閉鎖されて欠損部位が発生することはない。
【００３１】
また、間隙Ｇの両側で躯体Ａ，Ｂが間隙Ｙ方向に沿って相対変位した場合、図１３（Ａ）に示されるように、躯体Ａの開口部Ａ１が拡がる方向へ変位したときは、同方向へ床面カバー材１，壁面材２，裏面材３及び天井カバー材６が同方向へ一体にスライド移動して変位を吸収し、このとき、当該開口部Ａ１内に裏面材３が進出して開口部Ａ１を閉鎖するため、壁面材２の外側に欠損部位が発生することはなく、これとは反対側へ相対変位したときには（同図（Ｂ））、前記各カバー材が同方向へ一体にスライド移動して変位を吸収することができる。
【００３２】
さらに、間隙Ｇの両側で躯体Ａ，Ｂが間隙Ｚ方向に沿って相対変位したときは、躯体Ｂの開口部Ｂ１床面が躯体Ａの開口部Ａ１床面に対して上昇又は下降する変位に追随して，床面カバー材１と壁面材２が躯体Ａ側の端部に固定されたスライド部材５を支点に回転して傾斜し、また、天井カバー材６が上部レール部材１０との取付け部を支点として傾斜することで変位を吸収し、各カバー材で両躯体Ａ，Ｂの開口部Ａ１，Ｂ１を接合した状態が保持することができる。両躯体Ａ，Ｂが間隙Ｚ方向に相対変位しても、躯体Ｂの開口部Ｂ１床面と床面カバー材１との間に欠損部位が生ずることはない。
【００３３】
地震発生時に躯体Ａ，Ｂ間に生ずる変位は、前記間隙Ｘ、Ｙ及びＺ方向の各方向を組み合わせた全範囲に生じるが、本形態の間仕切り構造は、床面カバー材１，壁面材２及び天井カバー材６の可動領域をＸ、Ｙ及びＺ方向の全方向に設けてあるので、躯体Ａ，Ｂが何れの方向に相対変位しても、変位に追従して前記各カバー材がスライドし或いは回転することで変位を吸収し、さらに躯体Ａの開口部Ａ１に対する床面カバー材１と壁面材２のずれに対しては裏面材３がずれた空間を閉鎖することで、躯体Ａ，Ｂの間に欠損部位を生じさせることなく間隙Ｇを各カバー材で確実に閉鎖することが可能である。
【００３４】
なお、図示した間仕切り構造、これを構成する各カバー材などの部材の構成は、本発明の実施形態の一例を示すものであり、本発明はこれに限定されず、他の適宜な形態で構成することが可能である。図示した形態では、床面カバー材１の一側に壁面材２と裏面材３を設けたが、これらは床面カバー材１の両側に設けて構成してもよい。
【符号の説明】
【００３５】
１  床面カバー材、２  壁面材、３  裏面材、４  レール部材、５  スライド部材、６  天井カバー材、７  アングル板、８  固定ボルト、９  連結板、１０  上部レール部材
【図１】
2015155600.tif 000003
【図２】
2015155600.tif 000004
【図３】
2015155600.tif 000005
【図４】
2015155600.tif 000006
【図５】
2015155600.tif 000007
【図６】
2015155600.tif 000008
【図７】
2015155600.tif 000009
【図８】
2015155600.tif 000010
【図９】
2015155600.tif 000011
【図１０】
2015155600.tif 000012
【図１１】
2015155600.tif 000013
【図１２】
2015155600.tif 000014
【図１３】
2015155600.tif 000015
【図１４】
2015155600.tif 000016
【図１５】
2015155600.tif 000017
【図１６】
2015155600.tif 000018
【手続補正書】
【提出日】平成26年7月9日(2014.7.9)
【手続補正１】
【補正対象書類名】特許請求の範囲
【補正対象項目名】請求項１
【補正方法】変更
【補正の内容】
【請求項１】
間隙Ｇを隔てて相対した躯体Ａの開口部と躯体Ｂの開口部間に床面カバー材と壁面材を架け渡して両躯体Ａ，Ｂを接合する躯体間隙の間仕切り構造において、
躯体Ａの間隙Ｇに面した外壁面に間隙奥行き方向に沿ってレール部材が取り付けられているとともに、このレール部材内に当該レール部材に沿って滑動する一つ又は複数のスライド部材が取り付けられ、
床面カバー材が、その一側の端部が躯体Ｂの開口部床面上に載せられ且つ他側の端部がその下面に前記スライド部材が固定されて両躯体間に支持されているとともに、この床面カバー材の上面の少なくとも一側の端部に壁面材が載せられて支持され、
前記壁面材が載せられた床面カバー材の側端部に隣接させて裏面材が躯体Ａの外壁面に沿って平行に配置され、且つ裏面材の下端部にスライド部材が取り付けられているとともに、この裏面材の側端部と前記壁面材の躯体Ａ側の先端部が連結された構成を有することを特徴とする躯体間隙の間仕切り構造。
【手続補正２】
【補正対象書類名】明細書
【補正対象項目名】０００８
【補正方法】変更
【補正の内容】
【０００８】
前記課題を解決するため本発明は、間隙Ｇを隔てて相対した躯体Ａの開口部と躯体Ｂの開口部間に床面カバー材と壁面材を架け渡して両躯体Ａ，Ｂを接合する躯体間隙の間仕切り構造において、
躯体Ａの間隙Ｇに面した外壁面に間隙Ｙ方向に沿ってレール部材が取り付けられているとともに、このレール部材内に当該レール部材に沿って滑動する一つ又は複数のスライド部材が取り付けられ、
床面カバー材が、その一側の端部が躯体Ｂの開口部床面上に載せられ且つ他側の端部がその下面に前記スライド部材が固定されて両躯体間に支持されているとともに、この床面カバー材の上面の少なくとも一側の端部に壁面材が載せられて支持され、
前記壁面材が載せられた床面カバー材の側端部に隣接させて裏面材が躯体Ａの外壁面に沿って平行に配置され、且つ裏面材の下端部にスライド部材が取り付けられているとともに、この裏面材の側端部と前記壁面材の躯体Ａ側の先端部が連結された構成を有することを特徴とする。
【手続補正３】
【補正対象書類名】明細書
【補正対象項目名】０００９
【補正方法】変更
【補正の内容】
【０００９】
これによれば、地震により両躯体Ａ，Ｂが相対変位し、間隙Ｇの伸縮やずれが生じた場合、躯体Ａ，Ｂの間隙Ｘ方向の変位は床面カバー材が躯体Ｂの開口部床面上を同方向にスライド移動して吸収し、間隙Ｙ方向の変位は床面カバー材、壁面材及び裏面材が躯体Ａの外壁面に取り付けられたレール部材上をスライド移動して吸収する。
また、壁面材は床面カバー材の側端部上面に載せて取り付けられ、両躯体Ａ，Ｂ間を床面カバー材と一体に間隙Ｘ，Ｙ両方向にスライド移動するので、壁面材により床面カバー材の側方は常時閉鎖されて欠損部位が発生することはなく、また、裏面材はその端部を壁面材の躯体Ａ側の端部に連結して壁面材と一体に躯体Ａの外壁面に沿ってスライド移動するので、躯体Ａの開口部に面していた床面カバー材及び壁面材が間隙Ｙ方向にスライド移動して前記開口部からずれると、そのずれた位置に裏面材が進出して開口部を閉鎖するので、壁面材の外側にも欠損部位が発生することはなく、歩行者が床や壁の欠損部位や段差部位に足を踏み入れたり躓いたりする危険はなく、地震発生時における歩行の安全性が確保される。
前記構成の間仕切り構造は、躯体Ａの外壁面に取り付けたレール部材上で床面カバー材、壁面材及び裏面材を支持した簡易且つコンパクトな構成であり、また、実質的な可動部材はレール部材内を滑動するスライド部材のみであるので、高い施工精度は要求されず、低廉な施工コストで設置することが可能である。
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
間隙Ｇを隔てて相対した躯体Ａの開口部と躯体Ｂの開口部間に床面カバー材と壁面材を架け渡して両躯体Ａ，Ｂを接合する躯体間隙の間仕切り構造において、
躯体Ａの間隙Ｇに面した外壁面に間隙奥行き方向に沿ってレール部材が取り付けられているとともに、このレール部材内に当該レール部材に沿って滑動する一つ又は複数のスライド部材が取り付けられ、
床面カバー材が、間隙奥行き方向に伸びた第１の床面カバー部材と第１の床面カバー部材の側部に並置された第２の床面カバー部材とに分割して形成され、両床面カバー部材はともに一側の端部が躯体Ｂの開口部床面上に載せられ、他側の端部が第１の床面カバー部材の下面に第１のスライド部材が、第２の床面カバー部材の下面に第２のスライド部材がそれぞれ固定されて両躯体間に支持されているとともに、第２の床面カバー部材の上面の少なくとも一側の端部に壁面材が載せられて支持され、
前記壁面材が載せられた第２の床面カバー部材の側端部に隣接させて裏面材が躯体Ａの外壁面に沿って平行に配置され、且つ裏面材の下端部にスライド部材が取り付けられているとともに、この裏面材の側端部と前記壁面材の躯体Ａ側の先端部が連結された構成を有することを特徴とする躯体間隙の間仕切り構造。
【請求項２】
スライド部材がレール部材内でその滑動方向を軸として回転可能に取り付けられた構成を有することを特徴とする請求項１に記載の躯体間隙の間仕切り構造。
【請求項３】
間隙Ｇを隔てて相対した躯体Ａの開口部と躯体Ｂの開口部間に床面カバー材と壁面材を架け渡して両躯体Ａ，Ｂを接合する躯体間隙の間仕切り構造において、
躯体Ａの間隙Ｇに面した外壁面に間隙奥行き方向に沿ってレール部材が取り付けられ、このレール部材内に当該レール部材に沿って滑動し、且つレール部材内で前記滑動方向を軸として回転可能に設けられた一つ又は複数のスライド部材が取り付けられ、
床面カバー材が、その一側の端部が躯体Ｂの開口部床面上に載せられ且つ他側の端部がその下面に前記スライド部材が固定されて両躯体間に支持されているとともに、この床面カバー材の上面の少なくとも一側の端部に壁面材が載せられて支持され、
前記壁面材が載せられた床面カバー材の側端部に隣接させて裏面材が躯体Ａの外壁面に沿って平行に配置され、且つ裏面材の下端部にスライド部材が取り付けられているとともに、この裏面材の側端部と前記壁面材の躯体Ａ側の先端部が連結板で連結された構成を有することを特徴とする躯体間隙の間仕切り構造。
【請求項４】
間隙Ｇを隔てて相対した躯体Ａの開口部と躯体Ｂの開口部間に床面カバー材と壁面材を架け渡して両躯体Ａ，Ｂを接合する躯体間隙の間仕切り構造において、
躯体Ａの間隙Ｇに面した外壁面に間隙奥行き方向に沿ってレール部材が取り付けられているとともに、このレール部材内に当該レール部材に沿って滑動する一つ又は複数のスライド部材が取り付けられ、
床面カバー材が、その一側の端部が躯体Ｂの開口部床面上に載せられ且つ他側の端部がその下面に前記スライド部材が固定されて両躯体間に支持されているとともに、この床面カバー材の上面の少なくとも一側の端部に壁面材が載せられて支持され、
前記壁面材が載せられた床面カバー材の側端部に隣接させて裏面材が躯体Ａの外壁面に沿って平行に配置され、且つ裏面材の下端部にスライド部材が取り付けられているとともに、この裏面材の側端部と前記壁面材の躯体Ａ側の先端部が連結板で連結され、
且つ壁面材と裏面材を連結する前記連結板が、壁面材の端部が接合する側の面内に縦又は横に伸びた長孔を有し、壁面材の外面には連結板の前記長孔と交差するように横又は縦に伸びた長孔を形成され、交差して重ねられた連結板の長孔と壁面材の長孔とに固定ボルトを通して、連結板を介して裏面材を壁面材に取り付けた構成を有することを特徴とする躯体間隙の間仕切り構造。
【請求項５】
床面カバー材と壁面材は、躯体Ａ，Ｂの間隙Ｇの幅方向の変動を吸収するために設定された設定可動量の略二倍の長さに設けられたことを特徴とする請求項１〜４の何れかに記載の躯体間隙の間仕切り構造。
【請求項６】
壁面材の上部に天井カバー材が躯体Ａ，Ｂ間に架設して配置された構成を有することを特徴とする請求項１〜５の何れかに記載の躯体間隙の間仕切り構造。
【請求項７】
間隙Ｇを隔てた躯体Ａ，Ｂ間に架け渡される、間隙奥行き方向に伸びた第１の仕切り部材と第１の仕切り部材の側部に並置された第２の仕切り部材と第２の仕切り部材の上面に直交配置された間隙高さ方向に伸びた第３の仕切り部材とを支持するための機構であって、
躯体Ａの間隙Ｇに面した外壁面に間隙奥行き方向に沿って取り付けられるレール部材と、
レール部材内に取り付けられて当該レール部材に沿って滑動する部材であって一側の端部を躯体Ｂに載せた第１の仕切り部材の他側の端部に固定される第１のスライド部材と、
レール部材内に取り付けられて当該レール部材に沿って滑動する部材であって一側の端部を躯体Ｂに載せた第２の仕切り部材の他側の端部に固定される、前記第１のスライド部材とは別体の第２のスライド部材と、
を有して構成されたことを特徴とする仕切り部材の支持機構。
【請求項８】
第１のスライド部材と第２のスライド部材は、レール部材内でその滑動方向を軸として回転自在に取り付けられた構成を有することを特徴とする請求項７に記載の仕切り部材の支持機構。
【手続補正２】
【補正対象書類名】明細書
【補正対象項目名】００１５
【補正方法】変更
【補正の内容】
【００１５】
また、本発明の仕切り部材の支持機構は、間隙Ｇを隔てた躯体Ａ，Ｂ間に架け渡される、間隙Ｙ方向に伸びた第１の仕切り部材と第１の仕切り部材の側部に並置された第２の仕切り部材と第２の仕切り部材の上面に直交配置された間隙高さ方向に伸びた第３の仕切り部材とを支持するための機構であって、
躯体Ａの間隙Ｇに面した外壁面に間隙Ｙ方向に沿って取り付けられるレール部材と、レール部材内に取り付けられて当該レール部材に沿って滑動する部材であって一側の端部を躯体Ｂに載せた第１の仕切り部材の他側の端部に固定される第１のスライド部材と、レール部材内に取り付けられて当該レール部材に沿って滑動する部材であって一側の端部を躯体Ｂに載せた第２の仕切り部材の他側の端部に固定される、前記第１のスライド部材とは別体の第２のスライド部材と、を有して構成されることを特徴とする。
前記第１のスライド部材と第２のスライド部材は、レール部材内でその滑動方向を軸として回転自在に取り付けることができる。
【手続補正３】
【補正対象書類名】明細書
【補正対象項目名】００２５
【補正方法】変更
【補正の内容】
【００２５】
スライド支持部材４１は、その上面をスライド部材５が没入する大きさで断面略逆台形状に凹陥させてあり、その両側上部にスライド部材５をスライド嵌合可能とする断面略半月状の凹陥溝部４１ａ，４１ａをそれぞれ設けるとともに、凹陥溝部４１ａ，４１ａの上部に内方に向けて突設した嵌合片４１ｂ，４１ｂを設けて形成してある。嵌合片４１ｂ，４１ｂは、一方の嵌合片４１ｂが、他方の嵌合片４１ｂよりも上方に食い違い状に位置するよう形成してある。また、レール受け部材４２は、断面略矩形状で、その上面にスライド支持部材４１が嵌る略逆台形状に凹陥させた受け部４２ａを形成し、受け部４２ａの両内壁面４２ｂを下方へ傾斜させつ窄ませ、その傾斜面に長手方向に伸びたに小突起を複数列設して形成してある。
また、スライド部材５は、平面状の固定面５１の下側に首部５２を突出させ、首部５２の下側に断面略半月状の膨頭部５３を一体に設けて形成してある。
【手続補正４】
【補正対象書類名】明細書
【補正対象項目名】００２６
【補正方法】変更
【補正の内容】
【００２６】
図５に示されるように、レール部材４は、レール受け部材４２内にスライド支持部材４１を差し入れ状態で、躯体Ａの外壁面Ａ２に取り付けられたアングル板７に固定ボルト８で固定され、固定されたスライド支持部材４１内に、床面カバー材１の端部下面に固定されたスライド部材５の膨頭部５３を係入して、床面カバー材１の端部をレール部材４に沿ってスライド自在に支持させてある。
また、スライド部材５はその膨頭部５３がスライド支持部材４１の嵌合片４１ｂ，４１ｂに係合する範囲で、当該スライド部材５がレール部材４内を滑動する軸方向周りに回転可能に設けられており、これにより、両躯体Ａ，Ｂが間隙Ｚ方向へ相対変位して開口部Ａ１，Ｂ１の高さが段違いになったときに、図７に示されるように、両躯体Ａ，Ｂ間に架け渡された床面カバー材１がスライド部材５を軸に傾斜して、床面カバー材で前記開口部Ａ１，Ｂ１の床面を接合した状態を維持し、同方向の変位を吸収するように設けてある。
【手続補正５】
【補正対象書類名】図面
【補正対象項目名】図６
【補正方法】変更
【補正の内容】
【図６】
2015155600.tif 000019
【手続補正６】
【補正対象書類名】図面
【補正対象項目名】図７
【補正方法】変更
【補正の内容】
【図７】
2015155600.tif 000020